(57)【要約】【課題】通常、ＨＢ投入回路は、外部回路により、指令信号１、及び指令信号２が順次に投入されるが、外部回路の故障等の誤りにより、指令信号１のみが投入され続け、指令信号２が投入されなければ、ＨＢコイルに初期電流として定常時の保持電流よりも大きな電流が流れ続け、ＨＢコイルが焼損し、ＨＢが破損する。【解決手段】本発明は、指令信号１が投入され続けて数秒経過して、外部回路より指令信号２が投入されなくても、ＨＢ投入回路に設けられる、オンディレイタイマ回路、及びＯＲ回路から構成される保護回路により、指令信号２が投入された状態と等価になり、ＨＢコイルに流れる電流はＨＢ投入動作が正常に継続する電流値(保持電流)まで絞られ、長時間の初期電流によりＨＢコイルが焼損するのを防ぐことができる。【選択図】図１
2015230870.tif 000002
【特許請求の範囲】
【請求項１】
高速度遮断器(ＨＢ)の投入回路において、指令信号１をＨＢコイル動作回路に入力し、前記指令信号１を入力とするオンディレイタイマ回路の出力と、指令信号２とをＯＲ回路に入力し、前記ＯＲ回路の出力とする合成指令信号２を前記ＨＢコイル動作回路に入力する事で構成されるＨＢの投入回路。
【発明の詳細な説明】
【技術分野】
【０００１】
本発明は、高速度遮断器(以下、ＨＢと略す)を投入する回路に関するものである。
【背景技術】
【０００２】
ＨＢを投入する時、ＨＢコイルに初期電流として定常時の電流よりも大きな電流(以下、初期電流と略す)を数秒流し、ＨＢを確実に動作させる。
その後、ＨＢコイルが焼損するのを防ぐ為、ＨＢコイルに流れる電流はＨＢ投入動作が正常に継続する電流(以下、保持電流と略す)まで絞られる。
【０００３】
図２は、従来のＨＢ投入回路の説明図である。
１００は指令信号１で、外部回路より投入され、初期電流をＨＢコイルに流して、ＨＢを確実に動作させる。
２００は指令信号２で、前記指令信号１が投入されて数秒後、外部回路より投入され、長時間の初期電流によりＨＢコイルが焼損するのを防ぐ為、ＨＢコイルに流れる電流はＨＢ投入動作が正常に継続する保持電流まで絞られる。
３００はＨＢ投入回路である。
４００はＨＢコイル動作回路であり、外部回路より指令信号１と指令信号２を受け、各指令信号に応じて、順次にＨＢコイルに初期電流と保持電流を流す制御回路である。
５００はＨＢコイルである。
図４は各指令信号、ＨＢコイルに流れる電流のタイムチャートを示す。
時刻Ｔ１に外部回路より指令信号１が投入される（OFF→ON）ことで、ＨＢ投入回路内のＨＢコイル動作回路より、ＨＢコイルに初期電流が流れ、ＨＢが動作する。外部回路により決められた時間ΔＴ（数秒）が経過すると、指令信号２が投入され（OFF→ON）、ＨＢ投入回路内のＨＢコイル動作回路より、ＨＢコイルに流れる電流はＨＢ投入動作が正常に継続する保持電流まで絞られる。
【０００４】
前記指令信号１、および前記指令信号２は、外部回路より投入されるので、外部回路が前記指令信号１を投入して前記時間ΔＴ（数秒）を経過しても、前記指令信号２を投入しない場合、ＨＢコイルは初期電流が流れ続け焼損することになる。
つまり、従来のＨＢ投入回路の場合、外部回路の投入信号に故障等、誤りがあれば、ＨＢコイルに初期電流が流れ続けることによりＨＢは破損する欠点がある。
【０００５】
この改善策としては、ＨＢ投入回路にＨＢコイルの焼損防止の保護回路を設ける考案である。前記指令信号１が投入され続けて、誤って前記指令信号２が投入されなくても、ＨＢ投入回路に設けられた保護回路の動作により、前記指令信号２が投入された状態と等価な状態として、ＨＢコイルに流れる電流はＨＢ投入動作が正常に継続する保持電流まで絞られ、長時間の初期電流によりＨＢコイルが焼損するのを防ぐことができる。
【発明の概要】
【発明が解決しようとする課題】
【０００６】
解決しようとする問題点は、ＨＢ投入回路において、外部回路の誤りにより、前記指令信号１のみが投入され続け、前記指令信号２が投入されないことにより、ＨＢコイルに初期電流が流れ続けてＨＢコイルが焼損することで、ＨＢを破損することである。
【課題を解決するための手段】
【０００７】
請求項１の発明によると、故障等、誤った外部回路により前記指令信号１が投入され続け、前記時間ΔＴを経過しても、前記指令信号２が投入されなければ、前記指令信号１が投入されてから時間ΔＴ０（数秒、ΔＴ０≧ΔＴ）後、ＨＢ投入回路内の、入力がＯＮになったあと、一定時間経過後に出力がＯＮになる機能を有するオンディレイタイマ回路、及びＯＲ回路から構成される保護回路より生成した合成指令信号２が投入され、前記指令信号２が投入された状態と等価になるので、ＨＢコイルに流れる電流はＨＢ投入動作が正常に継続する保持電流まで絞られて、長時間の初期電流によりＨＢコイルが焼損し、ＨＢを破損するのを防ぐことができることを特徴とするＨＢ投入回路である。
【発明の効果】
【０００８】
本発明のＨＢ投入回路は、外部回路の故障等で誤りがあり、前記指令信号１の投入状態が継続して、前記指令信号２が投入されず、初期電流によりＨＢコイルを焼損する懸念があっても、ＨＢ投入回路内の保護回路により、前記指令信号１が投入されてからの時間ΔＴ０（数秒）後に、前記指令信号２が投入された状態と等価になり、ＨＢコイルに流れる電流はＨＢ投入動作が正常に継続する保持電流まで絞られ、ＨＢコイルが焼損するのを防ぎ、ＨＢを正常に動作させる効果がある。
【図面の簡単な説明】
【０００９】
【図１】保護回路を設けた、ＨＢ投入回路の説明図である。（実施例１）
【図２】従来のＨＢ投入回路の説明図である。
【図３】ＨＢコイルに流れる電流を示したタイムチャートである。                              (指令信号２が投入されず、保護回路が動作する場合)
【図４】ＨＢコイルに流れる電流を示したタイムチャートである。                              (指令信号１投入後、指令信号２が投入される場合)
【発明を実施するための形態】
【００１０】
故障等、誤った外部回路により、ＨＢコイルに初期電流が流れ続けることで、ＨＢコイルが焼損し、ＨＢを破損するのを防止するという目的を、ＨＢ投入回路に、保護回路を設けることで実現した。
【実施例１】
【００１１】
図１は本発明の実施例１の回路図であって、１００から５００は図２と同様である。６００はオンディレイタイマ回路、７００はＯＲ回路、８００は合成指令信号２である。
図１のＨＢ投入回路において、指令信号１をＨＢコイル動作回路に入力し、前記指令信号１を入力とするオンディレイタイマ回路の出力と、指令信号２とをＯＲ回路に入力し、前記ＯＲ回路の出力とする合成指令信号２を前記ＨＢコイル動作回路に入力する。
図３、図４は各指令信号、コイルに流れる電流のタイムチャートを示す。
本発明の実施の形態について図１、図３、図４を用いて説明する。
【００１２】
指令信号を投入する外部回路が正常である場合、
時刻Ｔ１に、外部回路より前記指令信号１が投入され、ＨＢコイル動作回路により、ＨＢコイルに初期電流が流れ始まる。正常の外部回路であれば、前記指令信号１が投入されてから、時間ΔＴ（数秒）を経過後、前記指令信号２が投入され、前記ＯＲ回路により前記指令信号２と全く同じ合成指令信号２を前記ＨＢコイル動作回路に出力する。そうすれば、前記指令信号１が投入されてから時間ΔＴを経過したら、ＨＢコイルに流れる電流は、ＨＢ投入動作が正常に継続する保持電流まで絞られる。（図４）
【００１３】
指令信号を投入する外部回路が異常である場合、
時刻Ｔ１に、外部回路より前記指令信号１が投入され、ＨＢコイル動作回路により、ＨＢコイルに初期電流が流れ始まる。異常の外部回路であれば、前記指令信号１が投入されてから、時間ΔＴ（数秒）を経過しても、前記指令信号２が投入されないが、オンディレイタイマ回路が動作して、時間ΔＴ０に経つと、前記ＯＲ回路により正常投入時の指令信号２とほぼ同じ合成指令信号２を前記ＨＢコイル動作回路に出力する。そうすれば、前記指令信号１が投入されてから時間ΔＴ０（≧ΔＴ）を経過したら、ＨＢコイルに流れる電流は、ＨＢ投入動作が正常に継続する保持電流まで絞られる。（図３）
【００１４】
本発明の実施例１から、従来技術のＨＢ投入回路にオンディレイタイマ回路、及びＯＲ回路から構成される保護回路を設けることにより、指令信号を投入する外部回路に異常があり、指令信号１が投入された後、指令信号２が投入されない場合でも、前記保護回路の動作により、正常投入時の指令信号２とほぼ同じ合成指令信号２を前記ＨＢコイル動作回路に出力することができて、時間ΔＴ０を経過後、ＨＢコイルに流れる電流は、ＨＢ投入動作が正常に継続する保持電流まで絞られ、長時間の初期電流によるＨＢコイルの焼損を防止することができる。
【産業上の利用性】
【００１５】
従来技術のＨＢ投入回路にオンディレイタイマ回路、及びＯＲ回路から構成される保護回路を設けることにより、外部回路に異常があり、指令信号１が投入されてから、指令信号２が投入されなくても、長時間の初期電流によるＨＢコイルの焼損を防止することができ、ＨＢ投入回路の信頼性が向上できる。
【符号の説明】
【００１６】
１００  指令信号１
２００  指令信号２
３００  ＨＢ投入回路
４００  ＨＢコイル動作回路
５００  ＨＢコイル
６００  オンディレイタイマ回路
７００  ＯＲ回路
８００  合成指令信号２
【図１】
2015230870.tif 000003
【図２】
2015230870.tif 000004
【図３】
2015230870.tif 000005
【図４】
2015230870.tif 000006